(57)【要約】【課題】湿気分や塵埃などによってピストン式ダンパーに不具合が発生し易い場所に設けられる引戸の引込み装置を提供する。【解決手段】ケース２内をスライド可能に設けられるとともに、ケース２に形成されたスライド案内溝１３に係合する係合突部を有し、戸枠側に設けられた係合ピン１０と係脱する関係にあるスライダー１５と、ピストン先端が前記スライダー１５に連結された状態でケース２内に設けられたピストン式ダンパー１６と、一端が前記スライダー１５に係止されるとともに他端がケース２に係止され、前記スライダー１５に引戸の引込み方向の付勢力を与えるスプリング部材１７とから構成された引戸の引込み装置１において、前記ピストン式ダンパー１６に対して湿気・塵埃対策手段１９が設けられるとともに、該湿気・塵埃対策手段１９はピストン１６Ｂに向けて突出する植毛ブラシ部２１と、ピストンが接触状態で挿通されたピストン挿通部２２とを備える。【選択図】図４
2018193780.tif 000002
【特許請求の範囲】
【請求項１】
ケースと、ケース内を引戸の開閉方向に沿ってスライド可能に設けられるとともに、前記ケースに形成されたスライド案内溝に係合する係合突部を有し、且つ上端部が前記ケースから突出状態で設けられ戸枠側に設けられた係合ピンと係脱する関係にあるスライダーと、ピストン先端が前記スライダーに連結された状態で前記ケース内に設けられたピストン式ダンパーと、一端が前記スライダーに係止されるとともに他端が前記ケースに係止され、前記スライダーに引戸の引込み方向の付勢力を与えるスプリング部材とから構成された引戸の引込み装置において、
前記ピストン式ダンパーに対して湿気・塵埃対策手段が設けられるとともに、前記湿気・塵埃対策手段はピストンに向けて突出する植毛ブラシ部と、前記ピストンが接触状態で挿通されたピストン挿通部とを備えることを特徴とする引戸の引込み装置。
【請求項２】
前記ピストン挿通部の素材はゴム又は樹脂とされる請求項１記載の引戸の引込み装置。
【請求項３】
前記湿気・塵埃対策手段は、前記ピストンが出入りする側のシリンダー隣接位置に、前記ケースに対する係合によって固定設置される請求項１記載の引戸の引込み装置。
【発明の詳細な説明】
【技術分野】
【０００１】
本発明は、湿気分や塵埃などによってピストン式ダンパーに不具合が発生し易い場所に設けられる引戸の引込み装置に関する。
【背景技術】
【０００２】
従来より、引戸の上端部に固定された吊り車型ランナ装置が戸枠の鴨居に固設されたガイドレールに沿って走行案内される吊戸や、引戸の下端部に固定された戸車が戸車用レールに沿って走行案内される引戸などの引戸では、開き状態から所定の位置まで閉めた後は、閉まり位置まで自動的に引込んで閉止させる引戸の引込み装置が種々提案されている。
【０００３】
例えば、下記特許文献１では、引戸の上端面に埋設状態で設置された引込み装置本体と、戸枠に固設された係合ピンとからなり、前記引込み装置本体は、引戸開閉方向に沿って係合ピンの進入案内溝が設けられたケースと、該ケース内に引戸開閉方向に沿ってスライド可能に設けられたスライダーと、前記ケース内に前記スライダーに連結された状態で設けられたピストン式ダンパーと、一端が前記スライダーに係止され、他端が前記ケースに係止されたスプリング部材と、前記スライダーに揺動可能に設けられ、前記ケースに形成されたスライド案内溝に係合する係合突部を有し、かつ引戸開閉に伴って前記係合ピンと係脱する関係にある作動カムとから構成された引戸の引込み装置が開示されている。
【先行技術文献】
【特許文献】
【０００４】
【特許文献１】特開２００７−２７８０５７号公報
【発明の概要】
【発明が解決しようとする課題】
【０００５】
前記引戸の引込み装置は、建物内の各所引戸に対して設置することが可能であるが、例えば浴室洗面所を仕切る引戸に適用した場合、浴槽からの湿気分に曝されることになり、短期間の使用であっても湿気分によって前記ピストン式ダンパーに不具合が発生し易いことが判明した。また、塵埃が多いような場所に設置される引戸の場合も、塵埃がシリンダー内部に侵入することによってピストン式ダンパに不具合が発生することがあった。
【０００６】
そこで本発明の主たる課題は、湿気分や塵埃などによってピストン式ダンパーに不具合が発生し易い場所に設置される引戸に好適な引込み装置を提供することにある。
【課題を解決するための手段】
【０００７】
上記課題を解決するために請求項１に係る本発明として、ケースと、ケース内を引戸の開閉方向に沿ってスライド可能に設けられるとともに、前記ケースに形成されたスライド案内溝に係合する係合突部を有し、且つ上端部が前記ケースから突出状態で設けられ戸枠側に設けられた係合ピンと係脱する関係にあるスライダーと、ピストン先端が前記スライダーに連結された状態で前記ケース内に設けられたピストン式ダンパーと、一端が前記スライダーに係止されるとともに他端が前記ケースに係止され、前記スライダーに引戸の引込み方向の付勢力を与えるスプリング部材とから構成された引戸の引込み装置において、
前記ピストン式ダンパーに対して湿気・塵埃対策手段が設けられるとともに、前記湿気・塵埃対策手段はピストンに向けて突出する植毛ブラシ部と、前記ピストンが接触状態で挿通されたピストン挿通部とを備えることを特徴とする引戸の引込み装置が提供される。
【０００８】
上記請求項１記載の発明では、前記ピストン式ダンパーに対して湿気・塵埃対策手段が設けられる。この湿気・塵埃対策手段は、ピストンに向けて突出する植毛ブラシ部と、前記ピストンが接触状態で挿通されたピストン挿通部とを備えるものである。
【０００９】
従って、ピストンがシリンダから突出した際に、周囲の湿度が多いためにピストンの表面に結露状に付着した水滴や水分が付着したとしても、その後に、ピストンがシリンダ内に没入する際に、ピストンの表面に付着した水滴や水分を前記植毛ブラシ部で払い落とす。また、シリンダ内に侵入する前に前記ピストン挿通部によりピストン表面の水滴や水分を掻き取ることにより、シリンダ内に水分が浸入するのを完全に防止することができる。また、ピストンがシリンダ内に没入する際に、ピストン表面に付着した塵埃が前記植毛ブラシ部で払い落とされるとともに、前記ピストン挿通部によって塵埃が掻き落とされることによってシリンダ内に塵埃が侵入するのを防止することができる。
【００１０】
請求項２に係る本発明として、前記ピストン挿通部の素材はゴム又は樹脂とされる請求項１記載の引戸の引込み装置が提供される。
【００１１】
上記請求項２記載の発明では、前記ピストン挿通部の具体的構造について規定したものであり、その素材はゴム又は樹脂とするのが望ましい。
【００１２】
請求項３に係る本発明として、前記湿気・塵埃対策手段は、前記ピストンが出入りする側のシリンダー隣接位置に、前記ケースに対する係合によって固定設置される請求項１記載の引戸の引込み装置が提供される。
【００１３】
上記請求項３記載の発明では、前記湿気・塵埃対策手段の設置位置について規定したものである。具体的には、前記湿気・塵埃対策手段は、前記ピストンが出入りする側のシリンダー隣接位置に、前記ケースに対する係合によって固定設置することが望ましい。
【発明の効果】
【００１４】
以上詳説のとおり本発明によれば、湿気分や塵埃などによってピストン式ダンパーに不具合が発生し易い場所に設けられる引戸に好適な引込み装置を提供できるようになる。
【図面の簡単な説明】
【００１５】
【図１】本発明に係る引込み装置１を適用した引戸２の正面図である。
【図２】引込み装置１、係合ピン１０部分の要部分解図である。
【図３】引込み装置１を示す、(A)は側面図、(B)は上面図である。
【図４】引込み装置１の斜視図である。
【図５】スライダー１５、湿気・塵埃対策手段１９を含むピストン式ダンパー１６の斜視図である。
【図６】スライダー１５を示す、(A)は上面図、(B)は正面図、(C)は側面図である。
【図７】スライダー１５を示す斜視図である。
【図８】(A)、(B)はスライダー１５の組立要領を示す斜視図である。
【図９】湿気・塵埃対策手段１９の斜視図である。
【図１０】湿気・塵埃対策手段１９の分解図である。
【図１１】湿気・塵埃対策手段１９を示す、(A)は縦断面図、(B)は左側面図である。
【図１２】(A)〜(C)は引込み装置１の作動要領を示す図である。
【発明を実施するための形態】
【００１６】
以下、本発明の実施の形態について図面を参照しながら詳述する。
【００１７】
〔引込み装置１の構造〕
図１に示される引戸２は、例えばアルミ等の金属材料からなる上框３Ａ、下框３Ｂ、縦框３Ｃ、３Ｄによって構成されたフレーム枠３内にパネル７が嵌め込まれたものであり、鴨居６Ａ、敷居６Ｂ及び側枠６Ｃ、６Ｄからなる戸枠６に収容されている。前記引戸２の下框３Ｂには戸車４，４が配設されており、鴨居６Ａと敷居６Ｂに案内されながら左右方向に移動可能（開閉可能）となっている。
【００１８】
前記上框３Ａには、引込み装置１が設けられているとともに、鴨居６Ａに係合ピン１０が設けられ、かかる引戸２に開状態からの閉操作が行われると、引込み装置１と係合ピン１０とが係合することによって引戸２が閉まり位置まで引き込まれるようになっている。
【００１９】
前記引戸２は、浴室洗面所などの湿気分が多い場所に設置された引戸であり、浴槽からの水蒸気に曝されることが多く、短期間の使用であっても湿気分によって前記ピストン式ダンパーに不具合が発生し易いため、或いは塵埃が多いような場所に設置される引戸の場合も、塵埃がシリンダー内部に侵入することによってピストン式ダンパに不具合が発生することがあるため、前記引込み装置１に対して湿気・塵埃対策が施されているものである。
【００２０】
以下、前記引込み装置１について詳述する。
【００２１】
前記引込み装置１は、図３に示されるように、ケース１２と、ケース１２内を引戸１の開閉方向に沿ってスライド可能に設けられるとともに、前記ケース１２に形成されたスライド案内溝１３に係合する基端側係合突部１４ａ及び先端側係合突部１４ｂを有し、且つ上端部が前記ケース１１から突出状態で設けられることにより前記係合ピン１０と係脱する関係にあるスライダー１５と、ピストン先端が前記スライダー１５に連結された状態で前記ケース１１内に設けられたピストン式ダンパー１６と、一端が前記スライダー１５に係止されるとともに、他端が前記ケース１１に係止され、前記スライダー１５に引戸２の引込み方向の付勢力を与えるスプリング部材１７と、前記ピストン式ダンパー１６に対して設けられた湿気・塵埃対策手段１９とから主に構成されている。
【００２２】
前記ケース１２は、同図３に示されるように、断面略方形状を成した函体であり、引戸中央側の略半分には、上下方向に区画する中間水平壁１２ａが設けられ、その上側が部材長手方向に沿って上側に開口する前記ピストン式ダンパー１６を収容するためのダンパー収容区間１２ｂとされ、下側が部材長手方向に沿って下側に開口する前記スプリング１７を収容するためのスプリング収容空間１２ｃとされている。前記スプリング収容空間１２ｃの引戸中央側端部には、前記スプリング１７の一端を係止するための係止溝１２ｅが設けられている。
【００２３】
また、ケース１２の引戸端部側の略半分には、前記スライダー１５がスライド自在に備えられる、部材長手方向に沿って上側に開口するスライダー用空間１２ｄとされている。
【００２４】
前記スライダー用空間１２ｄの両側壁にはそれぞれ、前記スライド案内溝１３が形成されている。前記スライド案内溝１３は、引戸２の開閉方向に沿った直線状案内溝１３ａと、この直線状案内溝１３ａの引戸端部側に連続して下方向に屈曲する、図示例では下方向に垂下する屈曲案内溝１３ｂとからなり、前記屈曲案内溝１３ｂが前記スライダー１５の仮停止部Ｋを構成している。
【００２５】
一方、スライダー１５は、図６及び図７に示されるように、前記ピストン先端が連結されるピストン連結部１５ａと、その下側に延在し前記スプリング部材１７の一端が係止される係止溝１５ｄが形成されたスプリング係止部１５ｂと、前記ピストン連結部１５ａの上側に延在し上端部が前記ケース１２の上端から突出状態で設けられる基端側係合片１５ｃと、前記ピストン連結部１５ａの引戸端部側に延在するとともに、前記基端側係合片１５ｃと所定の離隔幅を設けて、上端部が前記ケース１２の上端から突出状態で設けられる先端側係合片１５ｅとから構成されている。前記基端側係合片１５ｃと先端側係合片１５ｅとは、これらの間に前記係合ピン１０が係合可能な程度の離隔幅が設けられている。
【００２６】
前記スライダー１５のピストン連結部１５ａには通孔１５ｆが形成され、この通孔１５ｆを貫くとともに、ピストン先端に設けられた通孔（図示せず）を貫く軸部材１８（図３参照）が設けられることにより、ピストン先端とスライダー１５とが連結されている。前記軸部材１８は、両端がスライダー１５の両側に突出した状態で設けられ、この突出した両端部が前記スライド案内溝１３に係合する基端側係合突部１４ａ、１４ａを形成している。
【００２７】
また、前記スライダー１５の先端側係合片１５ｅの中央部には、両側部に突出する先端側係合突部１４ｂ、１４ｂが設けられている。
【００２８】
前記先端側係合片１５ｅは、より詳細には、図８(A)に示されるように、スライダー１５の先端部から横向きレ字状に折り返された折返し部１５ｇと、さらにその先端から下方側に向けて延在する垂下片１５ｈと、この垂下片１５ｈの先端に水平方向に突出するとともに、スライダー本体に係合する水平係止片１５ｉとを有する。そして、没入側に押し込んで前記水平係止片１５ｉをスライダー本体に係合させて図８(B)の状態とする。従って、引戸２の開閉時に係合ピン１１が前記垂下片１５ｈに当接し力が加わったとしても、前記水平係止片１５ｉが抜止め防止材となって、前記垂下片１５ｈ及び折返し部１５ｇとが抜け出るように上方向側に変形するのを防止する。
【００２９】
前記先端側係合片１５ｅは弾性変形可能な樹脂材によって形成することが好ましい。このようにして形成された先端側係合片１５ｅは、上端部から下方向に押圧が加わると、スライダー先端の折り返し部の弾性変形によって上端部が下方向に移動可能となっている。この上下方向の弾性変形量は、スライダー１５を引込み装置１に組み込んだ場合に前記係合ピン１０を乗り越えることができる程度であって、先端側係合片１５ｅの上端部がケース１２内に没入可能な程度とすることが好ましい。
【００３０】
次いで、前記ピストン式ダンパー１６は、シリンダー１６Ａとピストン１６Ｂとで構成され、シリンダー１６Ａ内部に粘性体（シリコンオイル等）が密閉封入されており、ピストン１６Ｂがシリンダー１６Ａ内部を移動する際に、前記粘性体の移動により移動速度に応じた抵抗力（減衰力）が発生してエネルギーを吸収する機構となっているものである。
【００３１】
本引込み装置１では、前記ピストン１６Ｂが出入りする側のシリンダー隣接位置に湿気・塵埃対策手段１９が配設されている。
【００３２】
前記湿気・塵埃対策手段１９は、図９〜図１１に示されるように、ホルダ２０と、このホルダ２０内に設けられた、ピストンに向けて突出する植毛ブラシ部２１と、前記ホルダ２０の一端に設けられた、前記ピストンが接触状態で挿通されたピストン挿通部２２とからなる。この場合、シリンダ側から前記ピストン挿通部２２、植毛ブラシ部２１の順で配置することが望ましい。また、前記ホルダ２０に対して、前記植毛ブラシ部２１とピストン挿通部２２とを一体的に備えるユニット構造とすることによりケース２への取付けが容易となる。
【００３３】
前記ホルダ２０は、断面略π状を成し、天井部２０Ａの内面に前記植毛ブラシ部２１を取り付けるための取付溝２０ａを有し、両側部に天井部２０Ａから垂下する側壁２０Ｂ、２０Ｂを有し、更にシリンダ１６Ａ寄り側に前記側壁２０Ｂ、２０Ｂを連結するとともに、ピストン挿通孔２０ｄが形成された端部壁２０Ｃを有する。前記側壁２０Ｂ、２０Ｂの外面にはケース１２への取付けのための係止爪２０ｂ、２０ｂが形成されている。図４に示されるように、ホルダ２０をケース２の設置位置に押し込むと、前記係止爪２０ｂ、２０ｂがケース２に設けた係止窓２ａに係止し抜脱不能に固定されるようになっている。
【００３４】
前記植毛ブラシ部２１は、基板２１ａの一方面に、丁度歯ブラシ状に多数のブラシ２１ｂ、２１ｂ…が植毛された部材である。前記ブラシ２１ｂとしては、ナイロン・ＰＢＴ(ポリブチレンテレフタレート)・ＰＰ（ポリプロピレン）などの化学合成フィラメントや、豚毛・バジャー（アナグマ）毛などの天然毛などを使用することができる。図１１に示されるように、ピストン１６Ｂの長手方向に所定の長さ範囲に亘って設けられる。
【００３５】
前記ピストン挿通部２２は、ピストン１６Ｂの直径に、容易に摺動可能な程度に僅かの余裕を持たせた径の開孔２２ａが形成された角形の板材であり、素材はゴムや樹脂などから成る。図１１に示されるように、前記端部壁２０Ｃの隣接位置に対して接着剤等により固定設置される。前記開孔２２ａの周面は図示例では平面とされるが、接触圧を少なくするために内方側に突出する円弧状又は三角山形状としてもよい。
【００３６】
前記湿気・塵埃対策手段１９をピストン１６Ｂが出入りする側のシリンダー隣接位置に設けておくと、ピストン１６Ｂがスライドしてシリンダ１６Ａから突出した際に、周囲の湿度が多いためにピストン１６Ｂの表面に結露状に付着した水滴や水分が付着する。その後に、ピストン１６Ｂがシリンダ１６Ａ内に没入する際に、ピストン１６Ｂの表面に付着した水滴や水分を一次的に前記植毛ブラシ部２１で払い落とし、その後さらに、シリンダ１６Ａ内に侵入する直前に二次的に前記ピストン挿通部２２によりピストン表面に付着している水滴や水分を掻き取ることにより、シリンダ１６Ａ内に水分が浸入するのを完全に防止する。また、ピストン１６Ｂがシリンダ１６Ａ内に没入する際に、ピストン表面に付着した塵埃が前記植毛ブラシ部２１で払い落とされるとともに、前記ピストン挿通部２２によって塵埃が掻き落とされることによってシリンダ１６Ａ内に塵埃が侵入するのを防止することができる。
【００３７】
一方、前記鴨居６Ａに設けられた係合ピン１０は、鴨居６Ａに固定される基体部５Ａと、この基体部５Ａに対してビスによって上下方向に移動調整可能に設けられた位置調整部５Ｂとからなり、前記位置調整部５Ｂの下面側に前記係合ピン１０が設けられている。
【００３８】
〔引込み装置１の作動説明〕
（引戸２の開操作時）
図１２(A)に示されるように、引戸２が戸閉まり状態の場合は、前記スライダー１５が引戸中央側に位置するとともに、このスライダー１５の基端側係合片１５ｃと先端側係合片１５ｅとの間の離隔部分に係合ピン１０が位置（係合）している。
【００３９】
この戸閉まり状態から引戸２の開操作を行うと、同図１２(B)に示されるように、係合ピン１０と先端側係合片１５ｅとの係合により、スライダー１５がスプリング部材１７の付勢力に抗して引戸端部側に移動される。そして、スライダー１５の先端側係合突部１４ｂが屈曲状案内溝１３ｂまで案内されるとスライダー１５が揺動し仮停止状態となる。これに伴い先端側係合片１５ｅと係合ピン１１との係合が解除される。従って、図１２(C)に示されるように、引戸２をさらに開操作できるようになる。
【００４０】
（引戸２の閉操作時）
次に引戸２の閉操作時の作動状態について説明する。
【００４１】
引戸２を開いた状態（図１２(C)）から図１２(B)に示される所定の位置まで閉操作を行うと、開操作によって仮停止状態とされたスライダー１５の基端側係合片１５ｃに係合ピン１１が衝突して、スライダー１５を揺動動作させ仮停止状態が解除される。これによりスライダー１５の基端側係合片１５ｃと先端側係合片１５ｅとの離隔部分に係合ピン１０が位置し、先端側係合片１５ｅと係合ピン１１とが係合した状態となる。その後は、自動的に前記ピストン式ダンパー１６による制動力を受ながらスプリング部材１７の付勢力によって、引戸２が閉まり位置まで引き込まれるようになる（図１２(A)）。
【符号の説明】
【００４２】
１…引込み装置、２…引戸、３Ａ…上框、３Ｂ…下框、３Ｃ・３Ｄ…縦框、４…戸車、５Ａ…基体部、５Ｂ…調整部、６Ａ…鴨居、６Ｂ…敷居、６Ｃ・６Ｄ…側枠、７…パネル、１０…係合ピン、１２…ケース、１３…スライド案内溝、１４ａ…基端側係合突部、１４ｂ…先端側係合突部、１５…スライダー、１５ｃ…基端側係合片、１５ｅ…先端側係合片、１６…ピストン式ダンパー、１７…スプリング部材、、１９…湿気・塵埃対策手段、２０…ホルダ、２１…植毛ブラシ部、２２…ピストン挿通部、Ｋ…仮停止部
【図１】
2018193780.tif 000003
【図２】
2018193780.tif 000004
【図３】
2018193780.tif 000005
【図４】
2018193780.tif 000006
【図５】
2018193780.tif 000007
【図６】
2018193780.tif 000008
【図７】
2018193780.tif 000009
【図８】
2018193780.tif 000010
【図９】
2018193780.tif 000011
【図１０】
2018193780.tif 000012
【図１１】
2018193780.tif 000013
【図１２】
2018193780.tif 000014